(57)【要約】  本願の実施例はチャネル送信方法及び関連製品を開示し、前記方法は、ネットワーク装置は周波数分割された複数の発見基準信号（ＤＲＳ）を送信し、前記周波数分割された複数のＤＲＳの周波数領域位置によって定められる最大チャネル帯域幅が基準帯域幅以上であることを含む。本願の実施例は、ネットワーク装置と端末との無認可スペクトルでの信号伝送品質を向上させることに有利である。
2021518063.tif 000002
【特許請求の範囲】
【請求項１】
チャネル送信方法であって、
ネットワーク装置は周波数分割された複数の発見基準信号（ＤＲＳ）を送信し、前記周波数分割された複数のＤＲＳの周波数領域位置によって定められる最大チャネル帯域幅が基準帯域幅以上であることを含むことを特徴とするチャネル送信方法。
【請求項２】
前記最大チャネル帯域幅は、前記周波数分割された複数のＤＲＳのうちの任意の２つのＤＲＳの周波数領域距離のうち最大周波数領域距離によって決定されることを特徴とする請求項１に記載の方法。
【請求項３】
前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含むことを特徴とする請求項１又は２に記載の方法。
【請求項４】
プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含むことを特徴とする請求項１又は２に記載の方法。
【請求項５】
各ＤＲＳは１つの同期信号ブロック（ＳＳＢ）を含み、又は、
前記各ＤＲＳはプライマリ同期信号（ＰＳＳ）及びセカンダリ同期信号（ＳＳＳ）を含み、又は、
前記各ＤＲＳはＰＳＳ、ＳＳＳ及び物理ブロードキャストチャネル復調基準信号（ＤＭＲＳ  ｆｏｒ  ＰＢＣＨ）を含むことを特徴とする請求項１〜４のいずれか１項に記載の方法。
【請求項６】
前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含むことを特徴とする請求項１〜５のいずれか１項に記載の方法。
【請求項７】
前記同期ｒａｓｔｅｒの位置はセル識別子によって決定されることを特徴とする請求項６に記載の方法。
【請求項８】
前記同期ｒａｓｔｅｒの位置は、システムメッセージ又は無線リソース制御（ＲＲＣ）シグナリングによって設定されることを特徴とする請求項６又は７に記載の方法。
【請求項９】
前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含むことを特徴とする請求項１〜５のいずれか１項に記載の方法。
【請求項１０】
前記周波数分割された複数のＤＲＳは周波数分割された複数のＳＳＢに対応し、前記周波数分割された複数のＳＳＢのインデックス番号（ｉｎｄｅｘ）は同じであり、且つ前記周波数分割された複数のＳＳＢに対応するセル識別子は同じであることを特徴とする請求項１〜９のいずれか１項に記載の方法。
【請求項１１】
前記周波数分割された複数のＤＲＳは同じセルに関連付けられ、且つ周波数分割された任意の２つのＤＲＳは準同一位置（ＱＣＬ）関係を有することを特徴とする請求項１〜１０のいずれか１項に記載の方法。
【請求項１２】
前記ネットワーク装置が周波数分割された複数の発見基準信号（ＤＲＳ）を送信する前に、前記方法は、
前記ネットワーク装置がプリセットの期間内にプリセットのキャリアのチャネルに対してクリアチャネル評価（ＣＣＡ）検出を行い、前記プリセットの期間がＤＲＳ送信時間ウィンドウの前にあり、前記プリセットのキャリアが無認可キャリアを含むことと、
前記ネットワーク装置は前記プリセットのキャリアのチャネルの状態がアイドル状態であることを検出することと、を更に含むことを特徴とする請求項１〜１１のいずれか１項に記載の方法。
【請求項１３】
チャネル送信方法であって、
端末がネットワーク装置からの周波数分割された複数の発見基準信号（ＤＲＳ）を受信し、前記周波数分割された複数のＤＲＳの周波数領域位置によって定められる最大チャネル帯域幅が基準帯域幅以上であることを含むことを特徴とするチャネル送信方法。
【請求項１４】
前記最大チャネル帯域幅は、前記周波数分割された複数のＤＲＳのうちの任意の２つのＤＲＳの周波数領域距離のうち最大周波数領域距離によって決定されることを特徴とする請求項１３に記載の方法。
【請求項１５】
前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含むことを特徴とする請求項１３又は１４に記載の方法。
【請求項１６】
プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含むことを特徴とする請求項１３又は１４に記載の方法。
【請求項１７】
各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含むことを特徴とする請求項１３〜１６のいずれか１項に記載の方法。
【請求項１８】
前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含むことを特徴とする請求項１３〜１７のいずれか１項に記載の方法。
【請求項１９】
前記同期ｒａｓｔｅｒの位置はセル識別子によって決定されることを特徴とする請求項１８に記載の方法。
【請求項２０】
前記同期ｒａｓｔｅｒの位置は、システムメッセージ又は無線リソース制御（ＲＲＣ）シグナリングによって設定されることを特徴とする請求項１８又は１９に記載の方法。
【請求項２１】
前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含むことを特徴とする請求項１３〜１７のいずれか１項に記載の方法。
【請求項２２】
前記周波数分割された複数のＤＲＳは周波数分割された複数のＳＳＢに対応し、前記周波数分割された複数のＳＳＢのインデックス番号（ｉｎｄｅｘ）は同じであり、且つ前記周波数分割された複数のＳＳＢに対応するセル識別子は同じであることを特徴とする請求項１３〜２１のいずれか１項に記載の方法。
【請求項２３】
前記周波数分割された複数のＤＲＳは同じセルに関連付けられ、且つ周波数分割された任意の２つのＤＲＳは準同一位置（ＱＣＬ）関係を有することを特徴とする請求項１３〜２２のいずれか１項に記載の方法。
【請求項２４】
前記周波数分割された複数のＤＲＳは、前記ネットワーク装置がプリセットの期間内にプリセットのキャリアのチャネルに対してクリアチャネル評価（ＣＣＡ）検出を行い、前記プリセットのキャリアのチャネルの状態がアイドル状態であることを検出した後に送信されたものであり、前記プリセットの期間はＤＲＳ送信時間ウィンドウの前にあり、前記プリセットのキャリアは無認可キャリアを含むことを特徴とする請求項１３〜２３のいずれか１項に記載の方法。
【請求項２５】
ネットワーク装置であって、処理ユニットと通信ユニットを備え、
前記処理ユニットは、周波数分割された複数の発見基準信号（ＤＲＳ）を送信することに用いられ、前記周波数分割された複数のＤＲＳの周波数領域位置によって定められる最大チャネル帯域幅は基準帯域幅以上であることを特徴とするネットワーク装置。
【請求項２６】
端末であって、処理ユニットと通信ユニットを備え、
前記処理ユニットは、ネットワーク装置からの周波数分割された複数の発見基準信号（ＤＲＳ）を受信することに用いられ、前記周波数分割された複数のＤＲＳの周波数領域位置によって定められる最大チャネル帯域幅は基準帯域幅以上であることを特徴とする端末。
【請求項２７】
ネットワーク装置であって、プロセッサ、メモリ、送受信機、及び１つ以上のプログラムを備え、前記１つ以上のプログラムは前記メモリに記憶され、前記プロセッサによって実行されるように設定され、前記プログラムは請求項１〜１２のいずれか１項に記載の方法のステップを実行するための命令を含むことを特徴とするネットワーク装置。
【請求項２８】
端末であって、プロセッサ、メモリ、通信インターフェース、及び１つ以上のプログラムを備え、前記１つ以上のプログラムは前記メモリに記憶され、前記プロセッサによって実行されるように設定され、前記プログラムは請求項１３〜２４のいずれか１項に記載の方法のステップを実行するための命令を含むことを特徴とする端末。
【請求項２９】
コンピュータ可読記憶媒体であって、電子データ交換のためのコンピュータプログラムが記憶され、前記コンピュータプログラムは請求項１〜１２のいずれか１項に記載の方法をコンピュータに実行させることを特徴とするコンピュータ可読記憶媒体。
【請求項３０】
コンピュータ可読記憶媒体であって、電子データ交換のためのコンピュータプログラムが記憶され、前記コンピュータプログラムは請求項１３〜２４のいずれか１項に記載の方法をコンピュータに実行させることを特徴とするコンピュータ可読記憶媒体。
【発明の詳細な説明】
【技術分野】
【０００１】
本願は通信技術分野に関し、特にチャネル送信方法及び関連製品に関する。
【背景技術】
【０００２】
従来の３ＧＰＰ（３ｒｄ  Ｇｅｎｅｒａｔｉｏｎ  Ｐａｒｔｎｅｒ  Ｐｒｏｊｅｃｔ、第３世代パートナーシッププロジェクト）ロングタームエボリューション（ＬＴＥ、Ｌｏｎｇ  Ｔｅｒｍ  Ｅｖｏｌｕｔｉｏｎ）システムでは、データ伝送は認可スペクトル（Ｌｉｃｅｎｓｅｄ  Ｓｐｅｃｔｒｕｍ）のみで発生するが、トラフィックの急激な増加に伴い、特に一部の都市地域では、認可スペクトルはトラフィックの需要を満たすことが困難となる恐れがある。３ＧＰＰ  ＲＡＮの第６５回会議で、ライセンス補助アクセス（ＬＡＡ、Ｌｉｃｅｎｓｅｄ−ａｓｓｉｓｔｅｄ  ａｃｃｅｓｓ）が採用され、無認可スペクトルでＬＴＥ技術を使用する通信が可能になる。
【０００３】
無認可スペクトルは国と地域によって割り当てられた無線装置の通信に使用できるスペクトルであり、当該スペクトルは一般に共有スペクトルと見なされ、即ち、異なる通信システムの通信装置は国又は地域が当該スペクトルで設定した法的要件を満たすだけで、政府に専用のスペクトル認可を申請する必要がなく、当該スペクトルを使用することができる。無認可スペクトルで無線通信を行う各通信システムが当該スペクトルで友好的に共存できるようにするために、一部の国又は地域では無認可スペクトルを使用するときに満たす必要がある法的要件が規定された。例えば、ヨーロッパ地域では、通信装置は「リスンビフォートーク」（ＬＢＴ、ｌｉｓｔｅｎ−ｂｅｆｏｒｅ−ｔａｌｋ）原則に従い、即ち、通信装置は無認可スペクトルのチャネルで信号を送信する前に、チャネル検知を行う必要があり、チャネル検知の結果がチャネルアイドルである場合でなければ、当該通信装置は信号を送信することができない。無認可スペクトルのチャネルで通信装置によるチャネル検知結果がチャネルビジーである場合、当該通信装置は信号を送信することができない。また、公平性を確保するために、１回の伝送で、通信装置が無認可スペクトルのチャネルで信号を伝送する時間長さは、最大チャネル占有時間（ＭＣＯＴ、Ｍａｘｉｍｕｍ  Ｃｈａｎｎｅｌ  Ｏｃｃｕｐａｔｉｏｎ  Ｔｉｍｅ）を超えてはならない。現在、如何に無認可スペクトルでの信号伝送品質を向上させるかは、解決する必要がある問題である。
【発明の概要】
【発明が解決しようとする課題】
【０００４】
本願の実施例はチャネル送信方法及び関連製品を提供し、ネットワーク装置と端末との無認可スペクトルでの信号伝送品質を向上させることに有利である。
【課題を解決するための手段】
【０００５】
第１態様では、本願の実施例はチャネル送信方法を提供し、
ネットワーク装置は周波数分割された複数の発見基準信号（ＤＲＳ）を送信し、前記周波数分割された複数のＤＲＳの周波数領域位置によって定められる最大チャネル帯域幅が基準帯域幅以上であることを含む。
【０００６】
第２態様では、本願の実施例はチャネル送信方法を提供し、
端末がネットワーク装置からの周波数分割された複数の発見基準信号（ＤＲＳ）を受信し、前記周波数分割された複数のＤＲＳの周波数領域位置によって定められる最大チャネル帯域幅が基準帯域幅以上であることを含む。
【０００７】
第３態様では、本願の実施例はネットワーク装置を提供し、当該ネットワーク装置は上記方法設計における第１ネットワーク装置の動作を実現する機能を有する。前記機能はハードウェアによって実現することができ、ハードウェアによって対応するソフトウェアを実行することで実現することもできる。前記ハードウェア又はソフトウェアは上記機能に対応する１つ以上のモジュールを含む。１つの可能な設計では、ネットワーク装置はネットワーク装置による上記方法の対応する機能の実行をサポートするように設定されるプロセッサを備える。また、ネットワーク装置はネットワーク装置と端末との通信をサポートするための送受信機を更に備えてもよい。そして、ネットワーク装置は、プロセッサに結合し、ネットワーク装置の必要なプログラム命令及びデータを記憶するためのメモリを更に備えてもよい。
【０００８】
第４態様では、本願の実施例は端末を提供し、当該端末は上記方法設計における端末の動作を実現する機能を有する。前記機能はハードウェアによって実現することができ、ハードウェアによって対応するソフトウェアを実行することで実現することもできる。前記ハードウェア又はソフトウェアは上記機能に対応する１つ以上のモジュールを含む。１つの可能な設計では、端末は端末による上記方法の対応する機能の実行をサポートするように設定されるプロセッサを備える。また、端末は端末とネットワーク装置との通信をサポートするための送受信機を更に備えてもよい。そして、端末は、プロセッサに結合し、端末の必要なプログラム命令及びデータを記憶するためのメモリを更に備えてもよい。
【０００９】
第５態様では、本願の実施例はネットワーク装置を提供し、プロセッサ、メモリ、送受信機及び１つ以上のプログラムを備え、前記１つ以上のプログラムは前記メモリに記憶され、前記プロセッサによって実行されるように設定され、前記プログラムは本願の実施例の第１態様に係るいずれか方法のステップを実行するための命令を含む。
【００１０】
第６態様では、本願の実施例は端末を提供し、プロセッサ、メモリ、通信インターフェース及び１つ以上のプログラムを備え、前記１つ以上のプログラムは前記メモリに記憶され、前記プロセッサによって実行されるように設定され、前記プログラムは本願の実施例の第２態様に係るいずれか方法のステップを実行するための命令を含む。
【００１１】
第７態様では、本願の実施例はコンピュータ可読記憶媒体を提供し、前記コンピュータ可読記憶媒体は電子データ交換のためのコンピュータプログラムを記憶し、前記コンピュータプログラムは本願の実施例の第１態様に係るいずれか方法で説明された一部又は全部のステップをコンピュータに実行させる。
【００１２】
第８態様では、本願の実施例はコンピュータ可読記憶媒体を提供し、前記コンピュータ可読記憶媒体は電子データ交換のためのコンピュータプログラムを記憶し、前記コンピュータプログラムは本願の実施例の第２態様に係るいずれか方法で説明された一部又は全部のステップをコンピュータに実行させる。
【００１３】
第９態様では、本願の実施例はコンピュータプログラム製品を提供し、前記コンピュータプログラム製品はコンピュータプログラムが記憶された非一時的なコンピュータ可読記憶媒体を含み、前記コンピュータプログラムは本願の実施例の第１態様に係るいずれか方法で説明された一部又は全部のステップをコンピュータに実行させるように動作可能である。当該コンピュータプログラム製品はソフトウェアインストールパッケージであってもよい。
【００１４】
第１０態様では、本願の実施例はコンピュータプログラム製品を提供し、前記コンピュータプログラム製品はコンピュータプログラムが記憶された非一時的なコンピュータ可読記憶媒体を含み、前記コンピュータプログラムは本願の実施例の第２態様に係るいずれか方法で説明された一部又は全部のステップをコンピュータに実行させるように動作可能である。当該コンピュータプログラム製品はソフトウェアインストールパッケージであってもよい。
【発明の効果】
【００１５】
以上から分かるように、本願の実施例では、ネットワーク装置は周波数分割された複数のＤＲＳを送信し、当該周波数分割された複数のＤＲＳの周波数領域位置によって定められる最大チャネル帯域幅は基準帯域幅以上である。当該基準帯域幅は無認可スペクトルで送信される信号のパワースペクトル密度要件を満たすことができ、同じパワースペクトル密度要件の場合、現在の最大チャネル帯域幅が大きいほど、対応する信号送信パワーが高くなり、それにより、ネットワーク装置と端末との無認可スペクトルでの信号伝送品質を向上させることに有利である。
【図面の簡単な説明】
【００１６】
以下、実施例又は従来技術の説明に必要な図面を簡単に説明する。
【図１Ａ】図１Ａは本願の実施例に係る可能な通信システムのネットワークアーキテクチャ図である。
【図１Ｂ】図１Ｂは本願の実施例に係るＳＳＢの信号構成模式図である。
【図２Ａ】図２Ａは本願の実施例に係るチャネル送信方法の模式的なフローチャートである。
【図２Ｂ】図２Ｂは本願の実施例に係るターゲットチャネル帯域幅により２つのＤＲＳの周波数領域位置を決定する模式図である。
【図２Ｃ】図２Ｃは本願の実施例に係る互いにインターリーブする２つのセルのＳＳＢの周波数領域位置模式図である。
【図３】図３は本願の実施例に係るチャネル送信方法の模式的なフローチャートである。
【図４】図４は本願の実施例に係るチャネル送信方法の模式的なフローチャートである。
【図５】図５は本願の実施例に係るネットワーク装置の構成模式図である。
【図６】図６は本願の実施例に係る端末の構成模式図である。
【図７】図７は本願の実施例に係るネットワーク装置の構成模式図である。
【図８】図８は本願の実施例に係る端末の構成模式図である。
【発明を実施するための形態】
【００１７】
以下、図面を参照しながら本願の実施例の技術案を説明する。
【００１８】
例示的に、図１Ａは本願に関する無線通信システムを示す。当該無線通信システム１００は高周波数帯域で作動することができ、ロングタームエボリューション（ＬＴＥ、Ｌｏｎｇ  Ｔｅｒｍ  Ｅｖｏｌｕｔｉｏｎ）システムに限定されず、将来の進化型第５世代移動通信（５Ｇ、ｔｈｅ  ５ｔｈ  Ｇｅｎｅｒａｔｉｏｎ）システム、新無線（ＮＲ）システム、マシンツーマシン通信（Ｍ２Ｍ、Ｍａｃｈｉｎｅ  ｔｏ  Ｍａｃｈｉｎｅ）システム等であってもよい。当該無線通信システム１００は１つ以上のネットワーク装置１０１、１つ以上の端末１０３、及びコアネットワーク装置１０５を備えてもよい。ネットワーク装置１０１は基地局であってもよく、基地局は１つ以上の端末と通信することができ、部分的な端末機能を有する１つ以上の基地局（例えば、マクロ基地局及びミクロ基地局）と通信することもできる。基地局は時分割同期符号多元接続（ＴＤ−ＳＣＤＭＡ、Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）システムにおけるベーストランシーバ基地局（ＢＴＳ、Ｂａｓｅ  Ｔｒａｎｓｃｅｉｖｅｒ  Ｓｔａｔｉｏｎ）であってもよく、ＬＴＥシステムにおける進化型基地局（ｅＮＢ、Ｅｖｏｌｕｔｉｏｎａｌ  Ｎｏｄｅ  Ｂ）、及び５Ｇシステム、新無線（ＮＲ）システムにおける基地局であってもよい。また、基地局はアクセスポイント（ＡＰ、Ａｃｃｅｓｓ  Ｐｏｉｎｔ）、伝送ノード（Ｔｒａｎｓ  ＴＲＰ）、セントラルユニット（ＣＵ、Ｃｅｎｔｒａｌ  Ｕｎｉｔ）又は他のネットワークエンティティであってもよく、上記ネットワークエンティティの機能の一部又は全部の機能を含んでもよい。コアネットワーク装置１０５はアクセス及びモビリティ管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）エンティティ、ユーザプレーン機能（ＵＰＦ、Ｕｓｅｒ  Ｐｌａｎｅ  Ｆｕｎｃｔｉｏｎ）エンティティ、及びセッション管理機能（ＳＭＦ、Ｓｅｓｓｉｏｎ  Ｍａｎａｇｅｍｅｎｔ  Ｆｕｎｃｔｉｏｎ）等のコアネットワーク側の装置を含む。端末１０３は無線通信システム１００全体に分布してもよく、静止式でも移動式でもよい。本願のいくつかの実施例では、端末１０３は携帯装置（例えばスマートフォン）、移動局（ｍｏｂｉｌｅ  ｓｔａｔｉｏｎ）、移動ユニット（ｍｏｂｉｌｅ  ｕｎｉｔ）、Ｍ２Ｍ端末、無線ユニット、遠隔ユニット、ユーザエージェント、移動クライアント等であってもよい。
【００１９】
なお、図１Ａに示される無線通信システム１００は、本願の技術案をより明確に説明するためのものに過ぎず、本願を限定するためのものではなく、当業者であれば分かるように、ネットワークアーキテクチャの進化及び新しいサービスシーンの出現により、本願に係る技術案は類似する技術的課題にも適用できる。
【００２０】
以下、本願に関する関連技術を説明する。
【００２１】
ＬＴＥシステムに基づくライセンス補助アクセス（ＬＡＡ−ＬＴＥ）システムは、キャリアアグリゲーションを元に、認可スペクトルでのキャリアを主キャリアとし、無認可スペクトルでのキャリアを副キャリアとして端末装置にサービスを提供する。ＬＡＡ−ＬＴＥシステムでは、主キャリアは端末装置の初期アクセス及び一部の主要サービスの伝送性能を確保することができ、無認可スペクトルでの副キャリアは端末装置の主要でないビッグデータサービスを伝送することができる。新無線（ＮＲ）システムでは、３ＧＰＰは同様にＮＲ−ｕｎｌｉｃｅｎｓｅｄ技術の導入を計画して、無認可スペクトルでＮＲ技術を使用して通信する。
【００２２】
ＬＴＥシステムに基づくライセンス補助アクセス（ＬＡＡ−ＬＴＥ）システムでは、ネットワーク装置は無認可キャリアで発見基準信号（ＤＲＳ、Ｄｉｓｃｏｖｅｒｙ  Ｓｉｇｎａｌ）を送信する必要があり、それにより、当該セルの端末は無認可キャリアでのセルとの同期を完了することができ、隣接セルの端末は当該セルの信号への無線リソース管理（ＲＲＭ）測定（ＲＳＲＰ、ＲＳＲＱ等）を完了することができる。ＬＴＥシステムにおける発見基準信号（ＤＲＳ）はプライマリ同期信号（ＰＳＳ）、セカンダリ同期信号（ＳＳＳ）、セル共通基準信号（ＣＲＳ）を含み、選択肢として、発見基準信号（ＤＲＳ）はチャネル状態情報基準信号（ＣＳＩ−ＲＳ）を更に含んでもよい。発見基準信号（ＤＲＳ）がプライマリ同期信号（ＰＳＳ）、セカンダリ同期信号（ＳＳＳ）、及びセル共通基準信号（ＣＲＳ）を含むことを例として、ＬＴＥシステムに基づくライセンス補助アクセス（ＬＡＡ−ＬＴＥ）システムにおける発見基準信号（ＤＲＳ）の伝送を説明する。無認可スペクトルで、ネットワーク装置はリスンビフォートーク（ＬＢＴ）検出によってチャネルの使用権を取得した後、端末のためにネットワーク装置により設定された発見信号測定タイミング設定（ＤＭＴＣ、Ｄｉｓｃｏｖｅｒｙ  ｓｉｇｎａｌｓ  Ｍｅａｓｕｒｅｍｅｎｔ  Ｔｉｍｉｎｇ  Ｃｏｎｆｉｇｕｒａｔｉｏｎ）ウィンドウ内に発見基準信号（ＤＲＳ）を送信することができる。
【００２３】
ＮＲシステムにおける共通チャネル及び信号、例えば同期信号及びブロードキャストチャネルでは、セル内の端末が受信しやすくするために、マルチビーム走査の方式でセル全体をカバーする必要がある。同期信号（ＳＳ、ｓｙｎｃｈｒｏｎｉｚａｔｉｏｎ  ｓｉｇｎａｌ）のマルチビーム送信は同期信号バーストセット（ＳＳ  ｂｕｒｓｔ  ｓｅｔ）を定義することによって実現される。１つの同期信号バーストセット（ＳＳ  ｂｕｒｓｔ  ｓｅｔ）は１つ以上の同期信号バースト（ＳＳ  ｂｕｒｓｔ）を含み、１つの同期信号バースト（ＳＳ  ｂｕｒｓｔ）は１つ以上の同期信号ブロック（ＳＳ  ｂｌｏｃｋ）を含む。１つの同期信号ブロック（ＳＳ  ｂｌｏｃｋ）は１つのビームの同期信号及びブロードキャストチャネルをベアリングすることに用いられる。従って、１つの同期信号バーストセット（ＳＳ  ｂｕｒｓｔ  ｓｅｔ）はセル内同期信号ブロック数量（ＳＳ  ｂｌｏｃｋ  ｎｕｍｂｅｒ）のビームの同期信号を含んでもよい。図１Ｂに示すように、１つの同期信号ブロック（ＳＳＢ、ＳＳ  ｂｌｏｃｋ）は１つのシンボルのプライマリ同期信号（ＰＳＳ）、１つのシンボルのセカンダリ同期信号（ＳＳＳ）、及び２つのシンボルの新無線アクセス技術システムの物理ブロードキャストチャネル（ＰＢＣＨ、Ｐｈｙｓｉｃａｌ  ｂｒｏａｄｃａｓｔ  ｃｈａｎｎｅｌ）を含み、図のＯＦＤＭは直交周波数分割多重を示す。ＰＢＣＨが占有する時間周波数リソースは、ＰＢＣＨの復調に用いられる復調基準信号（ＤＭＲＳ）を含む。
【００２４】
ＮＲ−ｕｎｌｉｃｅｎｓｅｄシステムでは、同様に無認可スペクトルでのセルを測定するための発見基準信号（ＤＲＳ）を定義する必要がある。ＮＲ−ｕｎｌｉｃｅｎｓｅｄシステムにおける発見基準信号（ＤＲＳ）は同期信号ブロック（ＳＳ  ｂｌｏｃｋ）を含んでもよく、プライマリ同期信号（ＰＳＳ）及びセカンダリ同期信号（ＳＳＳ）のみを含んでもよく、プライマリ同期信号（ＰＳＳ）、セカンダリ同期信号（ＳＳＳ）及び物理ブロードキャストチャネル復調基準信号（ＤＭＲＳ  ｆｏｒ  ＰＢＣＨ）を含んでもよい。
【００２５】
ＮＲにおける無線スペクトルについては、同期信号ブロック（ＳＳＢ）の周波数領域位置は同期ラスタ（ｒａｓｔｅｒ）によって定義され、表１に示すように、異なる周波数範囲で、同期信号ブロック（ＳＳＢ）の可能な周波数領域位置は表における式によって特定され、ＳＳＲＥＦによって番号付けられる。
【００２６】
【表１】
2021518063.tif 000003
【００２７】
同期ラスタ（ｒａｓｔｅｒ）が決定された後、同期信号ブロック（ＳＳＢ）のリソースマッピングは表２に基づいて決定される。即ち、同期ラスタ（ｒａｓｔｅｒ）は同期信号ブロック（ＳＳＢ）の２０個の物理リソースブロック（ＰＲＢ）のうちＰＲＢ番号が１０であるＰＲＢにおける番号０のリソース要素（ＲＥ）に位置する。
【００２８】
【表２】
2021518063.tif 000004
【００２９】
同期ラスタ（ｒａｓｔｅｒ）については、異なる帯域幅（ｂａｎｄ）で、帯域幅（ｂａｎｄ）内での同期ラスタ（ｒａｓｔｅｒ）の分布は表３によって決定される。例えば、帯域幅（ｂａｎｄ）ｎ７７の場合、同期ラスタ（ｒａｓｔｅｒ）の番号範囲は９４６０−１００７９であり、合計６２０個の同期ラスタ（ｒａｓｔｅｒ）がある。
【００３０】
【表３】
2021518063.tif 000005
【００３１】
ライセンス補助アクセスＬＡＡ−ＬＴＥシステムでは、ダウンリンクチャネルの送信は全帯域幅に分布するセル共通基準信号（ＣＲＳ）を含むため、チャネル帯域幅の占有割合問題が存在しない。新無線無認可（ＮＲ−ｕｎｌｉｃｅｎｓｅｄ）技術では、無認可スペクトルチャネルで伝送される信号は、少なくとも当該チャネル帯域幅の一定割合を占有する必要がある。ネットワーク装置が単独で発見基準信号（ＤＲＳ）を送信する場合、例えば単独で同期信号ブロック（ＳＳＢ）を送信する場合、同期信号ブロック（ＳＳＢ）の帯域幅が２０個の物理リソースブロック（ＰＲＢ）であり、現在ライセンス補助アクセス（ＬＡＡ）システムに使用されている無認可スペクトルのキャリア帯域幅が２０ＭＨｚであるため、キャリアアグリゲーションによって複数の２０ＭＨｚをバンドルして使用することができる。新無線無認可（ＮＲ−ｕｎｌｉｃｅｎｓｅｄ）技術をサポートする通信システムでは、高周波数帯域の使用可能な帯域幅がより大きく、対応する無認可スペクトルの帯域幅も大きくなる。２０ＭＨｚのキャリア帯域幅であっても、それより大きなキャリア帯域幅であっても、２０個の物理リソースブロック（ＰＲＢ）の同期信号ブロック（ＳＳＢ）がキャリア帯域幅の少ない一部しか占有しない。常に全帯域幅に分布する信号が存在しないため、ネットワーク装置が単独で同期信号ブロック（ＳＳＢ）等の発見基準信号（ＤＲＳ）を送信するとき、無認可スペクトルチャネルで伝送される信号が当該キャリアチャネルを占有する割合要件を満たすことができない。
【００３２】
上記問題に対して、本願の実施例は以下の実施例を提案し、以下、図面を参照しながら詳細に説明する。
【００３３】
図２Ａに示すように、図２Ａは本願の実施例に係るチャネル送信方法であり、上記例示的な通信システムに適用され、当該方法は以下の２０１部分を含む。
【００３４】
２０１部分では、ネットワーク装置は周波数分割された複数の発見基準信号（ＤＲＳ）を送信し、前記周波数分割された複数のＤＲＳの周波数領域位置によって定められる最大チャネル帯域幅は基準帯域幅以上である。
【００３５】
前記ＤＲＳは、端末が基地局によって管理されるセルを発見及び／又は測定することに用いられる。
【００３６】
選択肢として、前記最大チャネル帯域幅は、前記周波数分割された複数のＤＲＳのうちの任意の２つのＤＲＳの周波数領域距離のうち最大周波数領域距離によって決定される。例を挙げると、周波数分割された複数のＤＲＳが３つのＤＲＳを含み、ＤＲＳ１に対応する周波数領域位置が５ＭＨｚ、ＤＲＳ２の周波数領域位置が８ＭＨｚ、ＤＲＳ３の周波数領域位置が１４ＭＨｚであるとする場合、最大チャネル帯域幅は９ＭＨｚによって決定される。
【００３７】
選択肢として、前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含む。
【００３８】
前記キャリア帯域幅は単一キャリアのキャリア帯域幅であってもよく、複数のキャリアをアグリゲートしたアグリゲートキャリアのキャリア帯域幅であってもよく、例えば、単一キャリアのキャリア帯域幅が２０ＭＨｚであると、上記プリセットのキャリアのキャリア帯域幅は２０ＭＨｚ、４０ＭＨｚ（２つのキャリアをアグリゲートする）、８０ＭＨｚ（４つのキャリアをアグリゲートする）等であってもよい。
【００３９】
例を挙げると、現在のプリセットのキャリアのキャリア帯域幅が２０ＭＨｚであるとする場合、上記基準帯域幅は信号を送信するパワースペクトル密度の要件を満たすことができる最小帯域幅より大きい必要があり（同様のパワースペクトル密度の要件を満たす場合、チャネル帯域幅が大きいほど、信号の送信パワーが大きくなるので、信号伝送命令の改善に有利である）、例えば１４ＭＨｚ、１５ＭＨｚ、１６ＭＨｚ、１７ＭＨｚ、１８ＭＨｚ、１９ＭＨｚ、２０ＭＨｚ等であってもよく、ここでは一意に限定されない。
【００４０】
選択肢として、プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含む。
【００４１】
プリセットのキャリアのキャリア帯域幅に対する前記基準帯域幅の割合は、信号を送信するパワースペクトル密度の要件を満たすことができる最小割合より大きい必要があり（同様のパワースペクトル密度の要件を満たす場合、チャネル帯域幅が大きいほど、信号の送信パワーが大きくなるので、信号伝送命令の改善に有利である）、例えば６０％、７０％、７２％、７５％、８０％等の高い割合であってもよく、ここでは一意に限定されない。
【００４２】
具体的な実現では、上記周波数分割された複数のＤＲＳの周波数領域位置とプリセットのキャリアとの関連関係はプリセットのマッピング関係によって決定され、当該マッピング関係の具体的な形態はリスト又は式であってもよく、ここでは一意に限定されない。
【００４３】
当該マッピング関係の具体的な形態がリストである場合、複数のＤＲＳの周波数領域位置の異なる組み合わせは、異なる送信パターン（ｐａｔｔｅｒｎ）によって識別され、１つのプリセットのキャリアは１つ以上の送信ｐａｔｔｅｒｎに対応でき、ネットワーク装置が現在のプリセットのキャリアに対応する１つ以上の送信ｐａｔｔｅｒｎからターゲット送信ｐａｔｔｅｒｎを選択する具体的なポリシーは様々であり、ここでは一意に限定されない。
【００４４】
当該マッピング関係の具体的な形態が式である場合、ネットワーク装置は当該式及び入力パラメータのみによって複数のＤＲＳの周波数領域位置を決定することができ、前記入力パラメータは少なくとも現在のプリセットのキャリアの周波数領域特徴パラメータを含む。
【００４５】
具体的な実現では、前記ネットワーク装置が周波数分割された複数の発見基準信号（ＤＲＳ）を送信する前に、前記方法は、
前記ネットワーク装置がプリセットの期間内にプリセットのキャリアのチャネルに対してクリアチャネル評価（ＣＣＡ）検出を行い、前記プリセットの期間はＤＲＳ送信時間ウィンドウの前にあり、前記プリセットのキャリアは無認可キャリアを含むことと、前記ネットワーク装置は前記プリセットのキャリアのチャネルの状態がアイドル状態であることを検出することと、を更に含む。前記プリセットの期間の時間は１つのＳＳＢの送信時間であってもよい。
【００４６】
選択肢として、各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含む。
【００４７】
選択肢として、前記周波数分割された複数のＤＲＳは周波数分割された複数のＳＳＢに対応し、前記周波数分割された複数のＳＳＢのインデックス番号（ｉｎｄｅｘ）は同じであり、且つ前記周波数分割された複数のＳＳＢに対応するセル識別子は同じである。周波数分割された複数のＳＳＢが同じ時間に送信され、準同一位置（ＱＣＬ）関係を有し、それらのｉｎｄｅｘが同じであるので、端末による同期が容易になる。
【００４８】
選択肢として、前記周波数分割された複数のＤＲＳは同じセルに関連付けられ、且つ周波数分割された任意の２つのＤＲＳは準同一位置（ＱＣＬ）関係を有する。同期信号ブロック（ＤＲＳ）がマルチビーム走査の方式で送信され、異なるビームが時分割の方式で送信されるため、異なる周波数で同時に送信されるＤＲＳは同じビームで送信され、それにより、ビームフォーミングの利得を向上させることができ、基地局のビームフォーミング送信の複雑さを低減させることが容易になる。
【００４９】
また、前記周波数分割された複数のＤＲＳの周波数領域位置がターゲットチャネル帯域幅によって決定される具体的な実現過程については、ターゲットチャネル帯域幅を取得し、当該ターゲットチャネル帯域幅がプリセットの帯域幅占有要件を満たすのに必要な最小限のＤＲＳと、各ＤＲＳの周波数領域位置とを決定する。具体的に、図２Ｂに示すように、ネットワーク装置は帯域幅占有要件を満たすターゲットチャネル帯域幅がプリセットのキャリアのキャリア帯域幅内にあることを決定する場合、ネットワーク装置は更に、当該ターゲットチャネル帯域幅に対応する少なくとも２つのＤＲＳ、例えばＤＲＳ１及びＤＲＳ２を決定することができ、ＤＲＳ１の周波数領域位置は当該ターゲットチャネル帯域幅の高周波数位置に対応し、ＤＲＳ２の周波数領域位置は当該ターゲットチャネル帯域幅の低周波数位置に対応する。
【００５０】
例を挙げると、プリセットのキャリアのキャリア帯域幅が２０ＭＨｚであり、プリセットの帯域幅占有要件はチャネル帯域幅が１０ＭＨｚより大きいことであり、決定されるターゲットチャネル帯域幅が１４ＭＨｚであるとする場合、ネットワーク装置は２つの周波数分割されたＤＲＳを決定することができ、具体的にＤＲＳ１及びＤＲＳ２であり、ＤＲＳ１の周波数領域位置が４ＭＨｚで、ＤＲＳ２の周波数領域位置が１８ＭＨｚである。
【００５１】
以上から分かるように、本願の実施例では、ネットワーク装置は周波数分割された複数のＤＲＳを送信し、当該周波数分割された複数のＤＲＳの周波数領域位置によって定められる最大チャネル帯域幅は基準帯域幅以上である。当該基準帯域幅は無認可スペクトルで送信される信号のパワースペクトル密度要件を満たすことができ、同じパワースペクトル密度要件で、現在の最大チャネル帯域幅が大きいほど、対応する信号送信パワーが高くなり、それにより、ネットワーク装置と端末との無認可スペクトルでの信号伝送品質を向上させることに有利である。
【００５２】
１つの可能な例示では、前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含む。
【００５３】
前記同期ラスタ（ｒａｓｔｅｒ）はキャリア周波数位置を調整するための最小単位であり、各周波数点間の間隔が１００ＫＨｚの整数倍であることを示し、それは、高速道路をいくつかの車線に分割し、２つの車線間の中心距離が１００ＫＨｚの整数倍であることに相当し、端末は周波数走査時に１００ＫＨｚの整数倍に応じて走査する。
【００５４】
図２Ｃに示すように、異なるセルのＳＳＢの周波数領域位置は互いにインターリーブすることができ、それにより、相互干渉を低減させることができる。この設定では、異なるセルのＳＳＢの周波数領域位置が異なるので、それら間の相互干渉を回避又は低減させることができる。
【００５５】
例を挙げると、プリセットのキャリアが無認可キャリアであり、当該無認可キャリアのチャネル帯域幅が１４．４ＭＨｚであり、当該チャネル帯域幅の同期ラスタが１１個の同期ラスタを含み、それぞれｒａｓｔｅｒ１、ｒａｓｔｅｒ２、ｒａｓｔｅｒ３、ｒａｓｔｅｒ４、ｒａｓｔｅｒ５、ｒａｓｔｅｒ６、ｒａｓｔｅｒ７、ｒａｓｔｅｒ８、ｒａｓｔｅｒ９、ｒａｓｔｅｒ１０、ｒａｓｔｅｒ１１であり、そのうち、任意の２つのラスタ間の周波数領域距離が１．４４ＭＨｚの整数倍であり、即ち各同期ラスタの周波数領域位置が表１に示され、当該同期ラスタの位置が同期信号ブロック（ＳＳＢ）の周波数領域位置であり、即ちＳＳＢの周波数領域位置が当該１１個の同期ラスタのうちの任意の１つに対応し、ターゲットチャネル帯域幅が８ＭＨｚとされ、具体的に２０．００ＭＨｚ〜２８．００ＭＨｚに対応するとする場合、ネットワーク装置は当該チャネル帯域幅を含む第１同期ラスタｒａｓｔｅｒ１（２４ＭＨｚ）及び第２同期ラスタｒａｓｔｅｒ７（４０ＭＨｚ）を決定することができ、最後にｒａｓｔｅｒ１及びｒａｓｔｅｒ７の位置で第１ＳＳＢ及び第２ＳＳＢを送信することを決定する。
【００５６】
【表４】
2021518063.tif 000006
【００５７】
以上から分かるように、この例示では、同期ラスタによってＳＳＢの周波数領域位置を正確に指示することができ、それにより、通信両方はテーブルをすばやく参照して、現在伝送されている周波数分割された複数のＳＳＢによって決定されるターゲットチャネル帯域幅を決定しやすく、通信システムにおけるターゲットチャネル帯域幅の指示効率を向上させる。
【００５８】
１つの可能な例示では、前記同期ｒａｓｔｅｒの位置はセル識別子によって決定される。
【００５９】
ＮＲシステムが使用する周波数領域全体では、全ての同期ラスタ（ｒａｓｔｅｒ）の位置が事前定義され、一定のキャリア帯域幅を用いるセルについては、そのキャリアの周波数領域範囲内に事前定義された複数の同期ラスタ（ｒａｓｔｅｒ）の位置が存在している。２つの同一周波数セルについては、それらの事前定義された同期ｒａｓｔｅｒの位置が重なるが、異なるセルの識別子が異なるため、周波数分割された複数のＳＳＢに対応する同期ラスタ（ｒａｓｔｅｒ）は異なるセルに異なる。
【００６０】
以上から分かるように、この例示では、異なるセルの識別子が異なるため、異なるセル識別子によって定められる同期ラスタの位置も異なり、従って、異なるセルの前記複数のＳＳＢの周波数領域位置が異なり、それにより、それら間の相互干渉を回避又は低減させる。
【００６１】
１つの可能な例示では、前記同期ｒａｓｔｅｒの位置はシステムメッセージ又は無線リソース制御（ＲＲＣ）シグナリングによって設定される。
【００６２】
前記システムメッセージは、例えば残りの最小システム情報（ＲＭＳＩ、Ｒｅｍａｉｎｉｎｇ  ｍｉｎｉｍｕｍ  ｓｙｓｔｅｍ  ｉｎｆｏｒｍａｔｉｏｎ）又は他のシステム情報（ＯＳＩ、Ｏｔｈｅｒ  ｓｙｓｔｅｍ  ｉｎｆｏｒｍａｔｉｏｎ）であってもよい。前記ＲＲＣシグナリングの設定は、例えばＲＲＣ接続確立要求、ＲＲＣ再設定シグナリング等であってもよい。
【００６３】
以上から分かるように、この例示では、同期ｒａｓｔｅｒの位置はシステムメッセージ又は無線リソース制御（ＲＲＣ）シグナリングによって、ＳＳＢの送信周波数領域位置を柔軟に設定することができ、周波数領域リソースの効果的な使用及び隣接セル干渉の低減に寄与する。
【００６４】
１つの可能な例示では、前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含む。
【００６５】
前記非同期ラスタ（ｒａｓｔｅｒ）とは、キャリア帯域幅範囲内に、事前定義された同期ラスタの周波数位置以外の周波数位置を指す。前記周波数分割された複数のＳＳＢの周波数領域位置は、プリセットのキャリアのキャリア帯域幅の非同期ラスタ（ｒａｓｔｅｒ）に関連付けられる周波数領域位置で送信され、ＳＳＢの周波数領域位置は同期ラスタ（ｒａｓｔｅｒ）と固定の関連関係を有しない。
【００６６】
以上から分かるように、この例示では、ＳＳＢの周波数領域位置が非同期ラスタ（ｒａｓｔｅｒ）に関連付けられる周波数領域位置で送信されることで、同期ｒａｓｔｅｒによって定められる位置のみで送信される必要がなく、ＳＳＢの周波数領域位置を柔軟に設定することができ、周波数領域リソースの効果的な使用に寄与する。
【００６７】
図２Ａに示される実施例と同様に、図３に示すように、図３は本願の実施例に係る別のチャネル送信方法であり、上記例示的な通信システムに適用され、当該方法は以下の３０１部分を含む。
【００６８】
３０１部分では、端末はネットワーク装置からの周波数分割された複数の発見基準信号（ＤＲＳ）を受信し、前記周波数分割された複数のＤＲＳの周波数領域位置によって定められる最大チャネル帯域幅は基準帯域幅以上である。
【００６９】
以上から分かるように、本願の実施例では、端末は周波数分割された複数のＤＲＳを受信し、当該周波数分割された複数のＤＲＳの周波数領域位置によって定められる最大チャネル帯域幅は基準帯域幅以上である。当該基準帯域幅は無認可スペクトルで送信される信号のパワースペクトル密度要件を満たすことができ、同じパワースペクトル密度要件で、現在の最大チャネル帯域幅が大きいほど、対応する信号送信パワーが高くなり、それにより、ネットワーク装置と端末との無認可スペクトルでの信号伝送品質を向上させることに有利である。
【００７０】
１つの可能な例示では、前記最大チャネル帯域幅は、前記周波数分割された複数のＤＲＳのうちの任意の２つのＤＲＳの周波数領域距離のうち最大周波数領域距離によって決定される。
【００７１】
１つの可能な例示では、前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含む。
【００７２】
１つの可能な例示では、プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含む。
【００７３】
１つの可能な例示では、各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含む。
【００７４】
１つの可能な例示では、前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含む。
【００７５】
１つの可能な例示では、前記同期ｒａｓｔｅｒの位置はセル識別子によって決定される。
【００７６】
１つの可能な例示では、前記同期ｒａｓｔｅｒの位置はシステムメッセージ又は無線リソース制御（ＲＲＣ）シグナリングによって設定される。
【００７７】
１つの可能な例示では、前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含む。
【００７８】
１つの可能な例示では、前記周波数分割された複数のＤＲＳは周波数分割された複数のＳＳＢに対応し、前記周波数分割された複数のＳＳＢのインデックス番号（ｉｎｄｅｘ）は同じであり、前記周波数分割された複数のＳＳＢに対応するセル識別子は同じである。
【００７９】
１つの可能な例示では、前記周波数分割された複数のＤＲＳは同じセルに関連付けられ、周波数分割された任意の２つのＤＲＳは準同一位置（ＱＣＬ）関係を有する。
【００８０】
１つの可能な例示では、前記周波数分割された複数のＤＲＳは、前記ネットワーク装置がプリセットの期間内にプリセットのキャリアのチャネルに対してクリアチャネル評価（ＣＣＡ）検出を行い、前記プリセットのキャリアのチャネルの状態がアイドル状態であることを検出した後に送信されたものであり、前記プリセットの期間はＤＲＳ送信時間ウィンドウの前にあり、前記プリセットのキャリアは無認可キャリアを含む。
【００８１】
図２Ａ及び図３の実施例と同様に、図４に示すように、図４は本願の実施例に係るチャネル送信方法であり、上記例示的な通信システムに適用され、当該方法は以下の４０１部分と４０２部分を含む。
【００８２】
４０１部分では、ネットワーク装置は周波数分割された複数の発見基準信号（ＤＲＳ）を送信し、前記周波数分割された複数のＤＲＳの周波数領域位置によって定められる最大チャネル帯域幅は基準帯域幅以上である。
【００８３】
４０２部分では、端末はネットワーク装置からの周波数分割された複数の発見基準信号（ＤＲＳ）を受信し、前記周波数分割された複数のＤＲＳの周波数領域位置によって定められる最大チャネル帯域幅は基準帯域幅以上である。
【００８４】
以上から分かるように、本願の実施例では、ネットワーク装置は周波数分割された複数のＤＲＳを送信し、当該周波数分割された複数のＤＲＳの周波数領域位置によって定められる最大チャネル帯域幅は基準帯域幅以上である。当該基準帯域幅は無認可スペクトルで送信される信号のパワースペクトル密度要件を満たすことができ、同じパワースペクトル密度要件で、現在の最大チャネル帯域幅が大きいほど、対応する信号送信パワーが高くなり、それにより、ネットワーク装置と端末との無認可スペクトルでの信号伝送品質を向上させることに有利である。
【００８５】
上記実施例と同様に、図５に示すように、図５は本願の実施例に係るネットワーク装置の構成模式図であり、当該ネットワーク装置は第１ネットワーク装置であり、図示のように、当該ネットワーク装置はプロセッサ、メモリ、送受信機及び１つ以上のプログラムを備え、前記１つ以上のプログラムは前記メモリに記憶され、前記プロセッサによって実行されるように設定され、前記プログラムは、周波数分割された複数の発見基準信号（ＤＲＳ）を送信するステップを実行するための命令を含み、前記周波数分割された複数のＤＲＳの周波数領域位置によって定められる最大チャネル帯域幅は基準帯域幅以上である。
【００８６】
以上から分かるように、本願の実施例では、ネットワーク装置は周波数分割された複数のＤＲＳを送信し、当該周波数分割された複数のＤＲＳの周波数領域位置によって定められる最大チャネル帯域幅は基準帯域幅以上である。当該基準帯域幅は無認可スペクトルで送信される信号のパワースペクトル密度要件を満たすことができ、同じパワースペクトル密度要件で、現在の最大チャネル帯域幅が大きいほど、対応する信号送信パワーが高くなり、それにより、ネットワーク装置と端末との無認可スペクトルでの信号伝送品質を向上させることに有利である。
【００８７】
１つの可能な例示では、前記最大チャネル帯域幅は、前記周波数分割された複数のＤＲＳのうちの任意の２つのＤＲＳの周波数領域距離のうち最大周波数領域距離によって決定される。
【００８８】
１つの可能な例示では、前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含む。
【００８９】
１つの可能な例示では、プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含む。
【００９０】
１つの可能な例示では、各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含む。
【００９１】
１つの可能な例示では、前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含む。
【００９２】
１つの可能な例示では、前記同期ｒａｓｔｅｒの位置はセル識別子によって決定される。
【００９３】
１つの可能な例示では、前記同期ｒａｓｔｅｒの位置はシステムメッセージ又は無線リソース制御（ＲＲＣ）シグナリングによって設定される。
【００９４】
１つの可能な例示では、前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含む。
【００９５】
１つの可能な例示では、前記周波数分割された複数のＤＲＳは周波数分割された複数のＳＳＢに対応し、前記周波数分割された複数のＳＳＢのインデックス番号（ｉｎｄｅｘ）は同じであり、前記周波数分割された複数のＳＳＢに対応するセル識別子は同じである。
【００９６】
１つの可能な例示では、前記周波数分割された複数のＤＲＳは同じセルに関連付けられ、周波数分割された任意の２つのＤＲＳは準同一位置（ＱＣＬ）関係を有する。
【００９７】
１つの可能な例示では、前記プログラムは、前記周波数分割された複数の発見基準信号（ＤＲＳ）を送信する前に、プリセットの期間内にプリセットのキャリアのチャネルに対してクリアチャネル評価（ＣＣＡ）検出を行い、前記プリセットの期間がＤＲＳ送信時間ウィンドウの前にあり、前記プリセットのキャリアが無認可キャリアを含む動作と、前記プリセットのキャリアのチャネルの状態がアイドル状態であることを検出する動作と、を実行するための命令を更に含む。
【００９８】
上記実施例と同様に、図６に示すように、図６は本願の実施例に係る端末の構成模式図であり、図示のように、当該端末はプロセッサ、メモリ、通信インターフェース及び１つ以上のプログラムを備え、前記１つ以上のプログラムは前記メモリに記憶され、前記プロセッサによって実行されるように設定され、前記プログラムは、ネットワーク装置からの周波数分割された複数の発見基準信号（ＤＲＳ）を受信するステップを実行するための命令を含み、前記周波数分割された複数のＤＲＳの周波数領域位置によって定められる最大チャネル帯域幅は基準帯域幅以上である。
【００９９】
以上から分かるように、本願の実施例では、端末は周波数分割された複数のＤＲＳを受信し、当該周波数分割された複数のＤＲＳの周波数領域位置によって定められる最大チャネル帯域幅は基準帯域幅以上である。当該基準帯域幅は無認可スペクトルで送信される信号のパワースペクトル密度要件を満たすことができ、同じパワースペクトル密度要件で、現在の最大チャネル帯域幅が大きいほど、対応する信号送信パワーが高くなり、それにより、ネットワーク装置と端末との無認可スペクトルでの信号伝送品質を向上させることに有利である。
【０１００】
１つの可能な例示では、前記最大チャネル帯域幅は、前記周波数分割された複数のＤＲＳのうちの任意の２つのＤＲＳの周波数領域距離のうち最大周波数領域距離によって決定される。
【０１０１】
１つの可能な例示では、前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含む。
【０１０２】
１つの可能な例示では、プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含む。
【０１０３】
１つの可能な例示では、各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含む。
【０１０４】
１つの可能な例示では、前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含む。
【０１０５】
１つの可能な例示では、前記同期ｒａｓｔｅｒの位置はセル識別子によって決定される。
【０１０６】
１つの可能な例示では、前記同期ｒａｓｔｅｒの位置はシステムメッセージ又は無線リソース制御（ＲＲＣ）シグナリングによって設定される。
【０１０７】
１つの可能な例示では、前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含む。
【０１０８】
１つの可能な例示では、前記周波数分割された複数のＤＲＳは周波数分割された複数のＳＳＢに対応し、前記周波数分割された複数のＳＳＢのインデックス番号（ｉｎｄｅｘ）は同じであり、前記周波数分割された複数のＳＳＢに対応するセル識別子は同じである。
【０１０９】
１つの可能な例示では、前記周波数分割された複数のＤＲＳは同じセルに関連付けられ、周波数分割された任意の２つのＤＲＳは準同一位置（ＱＣＬ）関係を有する。
【０１１０】
１つの可能な例示では、前記周波数分割された複数のＤＲＳは、前記ネットワーク装置がプリセットの期間内にプリセットのキャリアのチャネルに対してクリアチャネル評価（ＣＣＡ）検出を行い、前記プリセットのキャリアのチャネルの状態がアイドル状態であることを検出した後に送信されたものであり、前記プリセットの期間はＤＲＳ送信時間ウィンドウの前にあり、前記プリセットのキャリアは無認可キャリアを含む。
【０１１１】
上記は主に各ネットワーク要素間の相互作用の観点から本願の実施例の解決手段を説明した。なお、上記機能を実現するために、端末及びネットワーク装置は各機能の実行に対応するハードウェア構成及び／又はソフトウェアモジュールを備える。当業者であれば理解できるように、本明細書に開示されている実施例で説明される各例示的なユニット及びアルゴリズムステップを参照することで、本願はハードウェア又はハードウェアとコンピュータソフトウェアとの組み合わせで実現できる。ある機能がハードウェアによって実行されるか、コンピュータソフトウェアによりハードウェアを駆動する方式で実行されるかは、技術案の特定応用及び設計制約条件に決められる。当業者は各特定の応用に対して、説明された機能を異なる方法で実現することができるが、この実現は本願の範囲を超えると見なされるべきではない。
【０１１２】
本願の実施例は上記方法例に基づいて端末及びネットワーク装置に対して機能ユニットの分割を行うことができ、例えば、各機能に対応して各機能ユニットを分割してもよく、２つ以上の機能を１つの処理ユニットに集積してもよい。上記集積されるユニットはハードウェアの形態で実現されてもよく、ソフトウェアプログラムモジュールの形態で実現されてもよい。なお、本願の実施例では、ユニットの分割は例示的なものに過ぎず、一例としての論理的機能分割であり、実際の実現時に別の分割方式でもよい。
【０１１３】
集積されるユニットを使用する場合、図７は上記実施例に関するネットワーク装置の可能な機能ユニットの構成ブロック図を示し、当該ネットワーク装置は第１ネットワーク装置である。ネットワーク装置７００は処理ユニット７０２と通信ユニット７０３を備える。処理ユニット７０２はネットワーク装置の動作を制御して管理することに用いられ、例えば、処理ユニット７０２は、図２Ａのステップ２０１、図４の４０１及び／又は本明細書に説明される技術のための他の過程を実行するようにネットワーク装置をサポートすることに用いられる。通信ユニット７０３はネットワーク装置と他の装置との通信、例えば図６に示される端末との通信をサポートすることに用いられる。ネットワーク装置は、ネットワーク装置のプログラムコード及びデータを記憶するための記憶ユニット７０１を更に備えてもよい。
【０１１４】
処理ユニット７０２はプロセッサ又はコントローラであってもよく、通信ユニット７０３は送受信機、送受信回路、ＲＦチップ等であってもよく、記憶ユニット７０１はメモリであってもよい。
【０１１５】
前記処理ユニット７０２は、周波数分割された複数の発見基準信号（ＤＲＳ）を前記通信ユニット７０３によって送信することに用いられ、前記周波数分割された複数のＤＲＳの周波数領域位置によって定められる最大チャネル帯域幅は基準帯域幅以上である。
【０１１６】
１つの可能な例示では、前記最大チャネル帯域幅は、前記周波数分割された複数のＤＲＳのうちの任意の２つのＤＲＳの周波数領域距離のうち最大周波数領域距離によって決定される。
【０１１７】
１つの可能な例示では、前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含む。
【０１１８】
１つの可能な例示では、プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含む。
【０１１９】
１つの可能な例示では、各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含む。
【０１２０】
１つの可能な例示では、前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含む。
【０１２１】
１つの可能な例示では、前記同期ｒａｓｔｅｒの位置はセル識別子によって決定される。
【０１２２】
１つの可能な例示では、前記同期ｒａｓｔｅｒの位置はシステムメッセージ又は無線リソース制御（ＲＲＣ）シグナリングによって設定される。
【０１２３】
１つの可能な例示では、前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含む。
【０１２４】
１つの可能な例示では、前記周波数分割された複数のＤＲＳは周波数分割された複数のＳＳＢに対応し、前記周波数分割された複数のＳＳＢのインデックス番号（ｉｎｄｅｘ）は同じであり、前記周波数分割された複数のＳＳＢに対応するセル識別子は同じである。
【０１２５】
１つの可能な例示では、前記周波数分割された複数のＤＲＳは同じセルに関連付けられ、周波数分割された任意の２つのＤＲＳは準同一位置（ＱＣＬ）関係を有する。
【０１２６】
１つの可能な例示では、周波数分割された複数の発見基準信号（ＤＲＳ）を前記通信ユニット７０３によって送信する前に、前記処理ユニット７０１は更に、プリセットの期間内にプリセットのキャリアのチャネルに対してクリアチャネル評価（ＣＣＡ）検出を行い、前記プリセットの期間がＤＲＳ送信時間ウィンドウの前にあり、前記プリセットのキャリアが無認可キャリアを含むことと、前記プリセットのキャリアのチャネルの状態がアイドル状態であることを検出することと、に用いられる。
【０１２７】
処理ユニット７０２がプロセッサで、通信ユニット７０３が通信インターフェースで、記憶ユニット７０１がメモリである場合、本願の実施例に関するネットワーク装置は図５に示されるネットワーク装置であってもよい。
【０１２８】
集積されるユニットを使用する場合、図８は上記実施例に関する端末の可能な機能ユニットの構成ブロック図を示す。端末８００は処理ユニット８０２と通信ユニット８０３を備える。処理ユニット８０２は端末の動作を制御して管理することに用いられ、例えば、処理ユニット８０２は、図３のステップ３０１、図４のステップ４０２及び／又は本明細書に説明される技術のための他の過程を実行するように端末をサポートすることに用いられる。通信ユニット８０３は端末と他の装置との通信、例えば図５に示されるネットワーク装置との通信をサポートすることに用いられる。端末は、端末のプログラムコード及びデータを記憶するための記憶ユニット８０１を更に備えてもよい。
【０１２９】
処理ユニット８０２はプロセッサ又はコントローラであってもよく、例えば、中央処理装置（ＣＰＵ、Ｃｅｎｔｒａｌ  Ｐｒｏｃｅｓｓｉｎｇ  Ｕｎｉｔ）、汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。本願に開示されている内容に説明される様々な例示的な論理ブロック、モジュール及び回路を実現又は実行することができる。前記プロセッサは、例えば、１つ以上のマイクロプロセッサ組み合わせ、ＤＳＰとマイクロプロセッサの組み合わせ等々を含む、計算機能を実現する組み合わせであってもよい。通信ユニット８０３は送受信機、送受信回路等であってもよく、記憶ユニット８０１はメモリであってもよい。
【０１３０】
前記処理ユニット８０２は、ネットワーク装置からの周波数分割された複数の発見基準信号（ＤＲＳ）を前記通信ユニットによって受信することに用いられ、前記周波数分割された複数のＤＲＳの周波数領域位置によって定められる最大チャネル帯域幅は基準帯域幅以上である。
【０１３１】
１つの可能な例示では、前記最大チャネル帯域幅は、前記周波数分割された複数のＤＲＳのうちの任意の２つのＤＲＳの周波数領域距離のうち最大周波数領域距離によって決定される。
【０１３２】
１つの可能な例示では、前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含む。
【０１３３】
１つの可能な例示では、プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含む。
【０１３４】
１つの可能な例示では、各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含む。
【０１３５】
１つの可能な例示では、前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含む。
【０１３６】
１つの可能な例示では、前記同期ｒａｓｔｅｒの位置はセル識別子によって決定される。
【０１３７】
１つの可能な例示では、前記同期ｒａｓｔｅｒの位置はシステムメッセージ又は無線リソース制御（ＲＲＣ）シグナリングによって設定される。
【０１３８】
１つの可能な例示では、前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含む。
【０１３９】
１つの可能な例示では、前記周波数分割された複数のＤＲＳは周波数分割された複数のＳＳＢに対応し、前記周波数分割された複数のＳＳＢのインデックス番号（ｉｎｄｅｘ）は同じであり、前記周波数分割された複数のＳＳＢに対応するセル識別子は同じである。
【０１４０】
１つの可能な例示では、前記周波数分割された複数のＤＲＳは同じセルに関連付けられ、周波数分割された任意の２つのＤＲＳは準同一位置（ＱＣＬ）関係を有する。
【０１４１】
１つの可能な例示では、前記周波数分割された複数のＤＲＳは、前記ネットワーク装置がプリセットの期間内にプリセットのキャリアのチャネルに対してクリアチャネル評価（ＣＣＡ）検出を行い、前記プリセットのキャリアのチャネルの状態がアイドル状態であることを検出した後に送信されたものであり、前記プリセットの期間はＤＲＳ送信時間ウィンドウの前にあり、前記プリセットのキャリアは無認可キャリアを含む。
【０１４２】
処理ユニット８０２がプロセッサで、通信ユニット８０３が通信インターフェースで、記憶ユニット８０１がメモリである場合、本願の実施例に関する端末は図６に示される端末であってもよい。
【０１４３】
本願の実施例はコンピュータ可読記憶媒体を更に提供し、前記コンピュータ可読記憶媒体は電子データ交換のためのコンピュータプログラムを記憶し、前記コンピュータプログラムは上記方法実施例で端末について説明された一部又は全部のステップをコンピュータに実行させる。
【０１４４】
本願の実施例はコンピュータ可読記憶媒体を更に提供し、前記コンピュータ可読記憶媒体は電子データ交換のためのコンピュータプログラムを記憶し、前記コンピュータプログラムは上記方法実施例でネットワーク装置について説明された一部又は全部のステップをコンピュータに実行させる。
【０１４５】
本願の実施例はコンピュータプログラム製品を更に提供し、前記コンピュータプログラム製品はコンピュータプログラムが記憶された非一時的なコンピュータ可読記憶媒体を含み、前記コンピュータプログラムは上記方法実施例で端末について説明された一部又は全部のステップをコンピュータに実行させるように動作可能である。当該コンピュータプログラム製品はソフトウェアインストールパッケージであってもよい。
【０１４６】
本願の実施例はコンピュータプログラム製品を更に提供し、前記コンピュータプログラム製品はコンピュータプログラムが記憶された非一時的なコンピュータ可読記憶媒体を含み、前記コンピュータプログラムは上記方法でネットワーク装置について説明された一部又は全部のステップをコンピュータに実行させるように動作可能である。当該コンピュータプログラム製品はソフトウェアインストールパッケージであってもよい。
【０１４７】
本願の実施例で説明される方法又はアルゴリズムのステップは、ハードウェアの方式で実現されてもよく、プロセッサがソフトウェア命令を実行する方式で実現されてもよい。ソフトウェア命令は対応するソフトウェアモジュールから構成することができ、ソフトウェアモジュールはランダムアクセスメモリ（ＲＡＭ、Ｒａｎｄｏｍ  Ａｃｃｅｓｓ  Ｍｅｍｏｒｙ）、フラッシュメモリ、読み出し専用メモリ（ＲＯＭ、Ｒｅａｄ  Ｏｎｌｙ  Ｍｅｍｏｒｙ）、消去可能プログラマブル読み出し専用メモリ（ＥＰＲＯＭ、Ｅｒａｓａｂｌｅ  Ｐｒｏｇｒａｍｍａｂｌｅ  ＲＯＭ）、電気的消去可能プログラマブル読み出し専用メモリ（ＥＥＰＲＯＭ、Ｅｌｅｃｔｒｉｃａｌｌｙ  ＥＰＲＯＭ）、レジスタ、ハードディスク、モバイルディスク、読み出し専用光ディスク（ＣＤ−ＲＯＭ）又は本分野の公知のいずれかの他の形態の記憶媒体に記憶される。１つの例示的な記憶媒体がプロセッサに結合されることにより、プロセッサは当該記憶媒体から情報を読み取り、当該記憶媒体に情報を書き込むことができる。もちろん、記憶媒体はプロセッサの構成部分であってもよい。プロセッサ及び記憶媒体はＡＳＩＣにあってもよい。また、当該ＡＳＩＣはアクセスネットワーク装置、ターゲットネットワーク装置又はコアネットワーク装置にあってもよい。もちろん、プロセッサ及び記憶媒体は個別ユニットとしてアクセスネットワーク装置、ターゲットネットワーク装置又はコアネットワーク装置に存在してもよい。
【０１４８】
当業者であれば理解できるように、上記１つ以上の例では、本願の実施例で説明される機能の全部又は一部はソフトウェア、ハードウェア、ファームウェア又はそれらの任意の組み合わせで実現可能である。ソフトウェアで実現する場合、全部又は一部をコンピュータプログラム製品の形態で実現できる。前記コンピュータプログラム製品は１つ以上のコンピュータ命令を含む。コンピュータにおいて前記コンピュータプログラム命令をロードして実行するときに、本願の実施例に記載のプロセス又は機能を全部又は部分的に発生させる。前記コンピュータは汎用コンピュータ、専用コンピュータ、コンピュータネットワーク、又は他のプログラマブル装置であってもよい。前記コンピュータ命令はコンピュータ可読記憶媒体に記憶されてもよく、又は１つのコンピュータ可読記憶媒体から別のコンピュータ可読記憶媒体に伝送されてもよく、例えば、前記コンピュータ命令は１つのウエブサイト、コンピュータ、サーバ又はデータセンターから有線（例えば同軸ケーブル、光ファイバー、デジタル加入者線（ＤＳＬ、Ｄｉｇｉｔａｌ  Ｓｕｂｓｃｒｉｂｅｒ  Ｌｉｎｅ））又は無線（例えば赤外線、無線、マイクロ波等）の方式で別のウエブサイト、コンピュータ、サーバ又はデータセンターに伝送される。前記コンピュータ可読記憶媒体はコンピュータがアクセスできるいずれかの可用媒体であってもよく、又は１つ以上の可用媒体を含んで集積されるサーバ、データセンター等のデータ記憶装置であってもよい。前記可用媒体は磁気媒体（例えば、フロッピーディスク、ハードディスク、テープ）、光学媒体（例えば、デジタルビデオディスク（ＤＶＤ、Ｄｉｇｉｔａｌ  Ｖｉｄｅｏ  Ｄｉｓｃ））、又は半導体媒体（例えば、ソリッドステートディスク（ＳＳＤ、Ｓｏｌｉｄ  Ｓｔａｔｅ  Ｄｉｓｋ））等であってもよい。
【０１４９】
以上の実施形態は本願の実施例の目的、技術案及び有益な効果を更に詳細に説明し、なお、以上は本願の実施例の実施形態に過ぎず、本願の実施例の保護範囲を限定するためのものではなく、本願の実施例の技術案に基づいて行われるいずれかの修正、同等の置換、改良等は、いずれも本願の実施例の保護範囲内に含まれるべきである。
【図１Ａ】
2021518063.tif 000007
【図１Ｂ】
2021518063.tif 000008
【図２Ａ】
2021518063.tif 000009
【図２Ｂ】
2021518063.tif 000010
【図２Ｃ】
2021518063.tif 000011
【図３】
2021518063.tif 000012
【図４】
2021518063.tif 000013
【図５】
2021518063.tif 000014
【図６】
2021518063.tif 000015
【図７】
2021518063.tif 000016
【図８】
2021518063.tif 000017
【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
チャネル送信方法であって、
端末がネットワーク装置からの周波数分割された複数の発見基準信号（ＤＲＳ）を受信し、前記周波数分割された複数のＤＲＳの周波数領域位置によって定められる最大チャネル帯域幅が基準帯域幅以上であることを含むことを特徴とするチャネル送信方法。
【請求項２】
前記最大チャネル帯域幅は、前記周波数分割された複数のＤＲＳのうちの任意の２つのＤＲＳの周波数領域距離のうち最大周波数領域距離によって決定されることを特徴とする請求項１に記載の方法。
【請求項３】
前記基準帯域幅はプリセットのキャリアのキャリア帯域幅以下であり、前記複数のＤＲＳの周波数領域位置は前記キャリア帯域幅に対応する帯域幅範囲内にあり、前記プリセットのキャリアは無認可キャリアを含むことを特徴とする請求項１又は２に記載の方法。
【請求項４】
プリセットのキャリアのキャリア帯域幅に対する前記基準帯域幅の割合は０より大きく、且つ１以下であり、前記複数のＤＲＳの周波数領域位置は前記キャリア帯域幅に対応する帯域幅範囲内にあり、前記プリセットのキャリアは無認可キャリアを含むことを特徴とする請求項１又は２に記載の方法。
【請求項５】
各ＤＲＳは１つの同期信号ブロック（ＳＳＢ）を含み、又は、前記各ＤＲＳはプライマリ同期信号（ＰＳＳ）及びセカンダリ同期信号（ＳＳＳ）を含み、又は、前記各ＤＲＳはＰＳＳ、ＳＳＳ及び物理ブロードキャストチャネル復調基準信号（ＤＭＲＳ  ｆｏｒ  ＰＢＣＨ）を含むことを特徴とする請求項１〜４のいずれか１項に記載の方法。
【請求項６】
前記周波数分割された複数のＤＲＳは周波数分割された複数のＳＳＢに対応し、前記周波数分割された複数のＳＳＢの周波数領域位置はプリセットのキャリアのキャリア帯域幅の同期ラスタ（ｒａｓｔｅｒ）の位置によって決定され、前記プリセットのキャリアは無認可キャリアを含むことを特徴とする請求項１〜５のいずれか１項に記載の方法。
【請求項７】
前記同期ｒａｓｔｅｒの位置はセル識別子によって決定されることを特徴とする請求項６に記載の方法。
【請求項８】
前記同期ｒａｓｔｅｒの位置は、システムメッセージ又は無線リソース制御（ＲＲＣ）シグナリングによって設定されることを特徴とする請求項６又は７に記載の方法。
【請求項９】
前記周波数分割された複数のＤＲＳは周波数分割された複数のＳＳＢに対応し、前記周波数分割された複数のＳＳＢの周波数領域位置は、プリセットのキャリアのキャリア帯域幅の非同期ラスタ（ｒａｓｔｅｒ）に関連付けられる周波数領域位置で送信され、前記プリセットのキャリアは無認可キャリアを含むことを特徴とする請求項１〜５のいずれか１項に記載の方法。
【請求項１０】
前記周波数分割された複数のＤＲＳは周波数分割された複数のＳＳＢに対応し、前記周波数分割された複数のＳＳＢのインデックス番号（ｉｎｄｅｘ）は同じであり、且つ前記周波数分割された複数のＳＳＢに対応するセル識別子は同じであることを特徴とする請求項１〜９のいずれか１項に記載の方法。
【請求項１１】
前記周波数分割された複数のＤＲＳは同じセルに関連付けられ、且つ周波数分割された任意の２つのＤＲＳは準同一位置（ＱＣＬ）関係を有することを特徴とする請求項１〜１０のいずれか１項に記載の方法。
【請求項１２】
前記周波数分割された複数のＤＲＳは、前記ネットワーク装置がプリセットの期間内にプリセットのキャリアのチャネルに対してクリアチャネル評価（ＣＣＡ）検出を行い、前記プリセットのキャリアのチャネルの状態がアイドル状態であることを検出した後に送信されたものであり、前記プリセットの期間はＤＲＳ送信時間ウィンドウの前にあり、前記プリセットのキャリアは無認可キャリアを含むことを特徴とする請求項１〜１１のいずれか１項に記載の方法。
【請求項１３】
ネットワーク装置であって、処理ユニットと通信ユニットを備え、
前記処理ユニットは、周波数分割された複数の発見基準信号（ＤＲＳ）を送信することに用いられ、前記周波数分割された複数のＤＲＳの周波数領域位置によって定められる最大チャネル帯域幅は基準帯域幅以上であることを特徴とするネットワーク装置。
【請求項１４】
端末であって、処理ユニットと通信ユニットを備え、
前記処理ユニットは、ネットワーク装置からの周波数分割された複数の発見基準信号（ＤＲＳ）を受信することに用いられ、前記周波数分割された複数のＤＲＳの周波数領域位置によって定められる最大チャネル帯域幅は基準帯域幅以上であることを特徴とする端末。
【請求項１５】
コンピュータ可読記憶媒体であって、電子データ交換のためのコンピュータプログラムが記憶され、前記コンピュータプログラムは請求項１〜１２のいずれか１項に記載の方法をコンピュータに実行させることを特徴とするコンピュータ可読記憶媒体。
【国際調査報告】
2021518063.tif 000018
2021518063.tif 000019
2021518063.tif 000020
2021518063.tif 000021